(57)【要約】【課題】  トルクコンバータのシェルにスリーブを摩擦圧接する方法であって、該スリーブの外周面にキズを付けることなく強力に圧接することが出来る方法の提供。【解決手段】  スリーブ穴６には芯金１０を組合わせた中治具３を挿入すると共に芯金１０を押下げることで内周面７をチャックする。そしてスリーブ内周面７に形成した傾斜面８には中治具３の外側に位置する外治具４の先端テーパー面１２を押圧して回転する。摩擦熱にて所定の条件に達したところで、シェル１に大きな押圧力を治具側へ負荷して圧接する。【選択図】    図１
2006266431.tif 000002
【特許請求の範囲】
【請求項１】
トルクコンバータの回転軸となる為にシェルの中心に設けているスリーブにおいて、筒状スリーブ先端側の穴内周面には傾斜面をもって段差を形成したことを特徴とするトルクコンバータのスリーブ。
【請求項２】
トルクコンバータのシェルにスリーブを摩擦圧接する方法において、スリーブ穴には芯金を組合わせた中治具を挿入すると共に芯金を押下げることで内周面をチャックし、そしてスリーブ内周面に形成した傾斜面には中治具の外側に位置する外治具先端テーパー面を押圧して回転し、所定の条件に達したところで、シェルに大きな押圧力を治具側へ負荷して圧接することを特徴とするスリーブの圧接方法。
【発明の詳細な説明】
【技術分野】
【０００１】
本発明はトルクコンバータのスリーブ及び該スリーブの圧接方法に関するものである。
【背景技術】
【０００２】
トルクコンバータとは周知の通りエンジンの動力を、作動流体を媒体としてトランスミッションへ伝えることが出来る一種の継手であり、エンジンによって回されるポンプインペラ、そして該ポンプインペラの回転により送り出される作動流体の動きを受けて回るタービンランナ、さらにタービンランナから出た作動流体の向きを変えてポンプインペラへ導くステータから構成されている。
【０００３】
図３は一般的なトルクコンバータの断面であって、同図の(イ)はポンプインペラ、(ロ)はタービンランナ、(ハ)はステータを示している。そしてコンバータ外殻(ニ)内には作動流体が封入されており、エンジンによってフロントカバーと共にポンプインペラ(イ)が回転することにより、作動流体を媒介としてタービンランナ(ロ)が回り始め、ポンプインペラ(イ)とタービンランナ(ロ)の回転数差が大きい間は、ステータ(ハ)があることによるトルク増幅作用によってタービンランナ(ロ)は大きなトルク比で回転させられ、回転数差が小さくなるとトルク増幅作用はなくなり、流体継手としてポンプインペラ(イ)からタービンランナ(ロ)へ動力が伝えられる。そしてタービンランナ(ロ)が所定の回転速度に達したところで、ロックアップピストン(ホ)が動いてフロントカバー(ヘ)の摩擦材(ト)に圧接してコンバータ外殻(ニ)の回転は直接タービンランナ(ロ)に伝えられる。
【０００４】
ところで、トルクコンバータには同図に示すように、ポンプインペラ(イ)とステータ(ハ)との間にスラスト軸受け(チ)が、ステータ(ハ)とタービンランナ(ロ)との間にはスラスト軸受け(リ)が、さらにタービンランナ(ロ)とフロントカバー(ヘ)との間にもスラスト軸受け(ヌ)が介在している。
【０００５】
上記ステータ(ハ)にはワンウエイクラッチ(ル)が設けられていて一方向のみの回転が許容されている。すなわち、低速域ではタービンランナ(ロ)から流れ出る作動流体をポンプインペラ(イ)を回すように導く為に回転することなく停止している。すなわちステータ(ハ)のブレード内面に作動流体が当ってその流れ方向を変えることが出来る。
【０００６】
しかし、タービンランナ(ロ)の回転速度が高くなるとステータ(ハ)のブレード背面に当ることになってステータ(ハ)は回転する。このように、ステータ(ハ)は一方向のみの回転を行う為に上記ワンウエイクラッチ(ル)を備えていると共に、ポンプインペラ(イ)及びタービンランナ(ロ)から独立して回転する為に、間にはスラスト軸受け(チ)、(リ)が介在している。
【０００７】
同じくタービンランナ(ロ)の回転速度が所定の域に達してロックアップピストン(ホ)がフロントカバー(ヘ)の摩擦材(ト)に圧接するまでは、タービンランナ(ロ)とフロントカバー(ヘ)との間に速度差がある為に、間にはスラスト軸受け(ヌ)が介在している。そして、ハブ(オ)の軸穴には軸（図示なし）が嵌り、該軸はスリーブ穴(ワ)を通過してトランスミッションへ繋がっている。
【０００８】
ところで、トルクコンバータの中心にはスリーブ(カ)が設けられ、トランスミッション側に設けている軸穴に嵌合して支持され、回転することが出来る。同図に示すトルクコンバータでは、ポンプインペラ(イ)のシェル(ヨ)にスリーブ(カ)が溶接されている。しかし、該スリーブ(カ)はツバ(タ)を有し、該ツバ(タ)を介してシェル(ヨ)に溶接されているが、ツバ付きスリーブを成形することは容易でなくコストも高くなる。そこで、従来では溶接に代わって摩擦圧接にてスリーブ(カ)を直接シェル(ヨ)に固着する方法も採用されている。
【０００９】
図４は従来の摩擦圧接方法を示しているが、該スリーブ(カ)をコレット(レ)によってチャックすると共にコレット(レ)を高速回転し、圧接状態に達したところでシェル(ヨ)を押圧する。スリーブ(カ)はその外周面がコレット(レ)にてチャックされて回転するが、圧接時のコレットチャック力が圧接トルクに負けてしまい、コレット把持面とスリーブ外周面との間でスリップを発生し、その結果、十分な圧接強度が得られないと同時に、一方ではスリーブ外周面にスリップに伴うキズが発生する。
【００１０】
該スリーブ(カ)はトランスミッションの軸穴に嵌合し、トルクコンバータを所定の位置で回転自在に軸支する役目を果たさなくてはならず、その為にスリーブ外周面のキズは大きな問題となる。スリーブ穴(ワ)にはタービンランナ(ロ)のハブ(オ)から延びる軸が遊嵌するだけであり、多少のキズがあっても大きな問題にはならないが、スリーブ外周面に発生したキズは後加工で除去しなくてはならない。
【発明の開示】
【発明が解決しようとする課題】
【００１１】
このように、従来のスリーブの摩擦圧接方法には上記のごとき問題がある。本発明が解決しようとする課題はこの問題点であり、スリーブ外周面にキズを発生しないで強力な摩擦圧接を行うことが出来る圧接方法、及び外周面をチャックしないで摩擦圧接することが出来るトルココンバータのスリーブを提起する。
【課題を解決するための手段】
【００１２】
本発明に係るスリーブの摩擦圧接方法は、該スリーブを高速回転しながら摩擦接触し、一定の条件に達したところでシェルを押圧することにより互いに固着することが出来、基本的な動作は従来と同じである。ところが、本発明ではスリーブ外周面をチャックすることなく、多少のキズを問題にしない内周面をチャックする。しかし、スリーブの内周面の内径は外周面の外径に比較して小さく成る為に、同じ把持力では発生する回転トルクは十分でない。
【００１３】
そこで、本発明ではスリーブの穴に段差を設け、この段差部を傾斜面とし、該傾斜面に外治具先端を押圧する。そして、スリーブ内周面をチャックする中治具は貫通穴を有し、該貫通穴の先端部にはテーパーを形成し、該貫通穴に挿入される中治具先端をテーパーに押圧することで、該中治具を拡張してスリーブ穴をチャックする。すなわち、中治具にてスリーブ穴をチャックすると共に、スリーブ傾斜面を外治具先端で押圧することで大きな回転トルクを発生させる。
【発明の効果】
【００１４】
本発明はスリーブ穴に中治具を嵌めて拡張することで、内周面をチャックすることが出来る。そして、スリーブ穴には傾斜面を有す段差が形成され、この傾斜面に外治具先端を当てて押圧することが出来、スリーブ穴をチャックする上記中治具と該外治具とでスリーブとの間に滑りを発生することなく、回転させることが出来る。
【００１５】
この際、スリーブの外周面には治具は接触せず、その為に外周面にキズが発生することはない。そして、スリーブの先端及びシェルが圧接するに摩擦熱で十分な状態に成ったところで、大きな力で圧接されるが、外治具は傾斜面に当たっていることで、力が逃げることはなく、強力な摩擦圧接を可能とする。一方、スリーブ穴の傾斜面が外治具先端テーパー面に当ることで、該スリーブの位置決めも行われる。
【実施例】
【００１６】
図１は本発明に係るスリーブ圧接方法を示す概略図である。同図の１はシェル、2はスリーブ、3は中治具、4は外治具を夫々表している。ポンプインペラのシェル１は所定の形状に成形され、その中心に筒型のスリーブ２が載置され、該スリーブ２は治具にチャックされてシェル１と摩擦接触しながら回転する。その為に、摩擦熱にて接合面の材料が柔らかく成り、所定の条件に達したところで押圧すれば表面の酸化膜が除去されて圧接する。
【００１７】
ここで、摩擦圧接の原理や条件を説明することはしないが、本発明は治具にてチャックしたスリーブ２が圧接トルクに負けてスリップしないように、又スリーブ2の外周面5にキズ付かないような構造と成っている。従って、スリーブ２の外周面５ではなく、スリーブ穴内周面をチャックしている。また、スリーブ2の穴先端部には傾斜面を形成し、該傾斜面を押圧してトルクを増大する構造と成っている。
【００１８】
図2は上記スリーブ２を単独で表している。同図に示すようにその形状は円筒形を成し、中心穴６の先端側内周面７には段差が形成されて傾斜面８を有し、圧接側も段差が形成されて座ぐられ、外周面５は先端側がくびれて細く成っている。そして、先端部には複数の切欠き部９，９・・が等間隔で形成されている。
【００１９】
ところで、このスリーブ穴６に中治具３が挿入されて、外方向へ拡張することで内周面７をチャックしている。筒状の中治具３には先端にテーパーを設けて細く成っている芯金１０が嵌り、該芯金１０を降下することで先端テーパー１１によって外径が拡張してスリーブ穴６に圧接する。しかし、該圧接力が外周面5をチャックした場合と同じであるならば、回転半径が小さい分だけ発生トルクは小さく成ってしまう。
【００２０】
そこで、本発明ではスリーブ穴6の先端側に形成した傾斜面８に外治具4の先端を押圧してトルクを補っている。外治具４は中治具3とは独立して上下動することが出来、先端のテーパー面１２が傾斜面８に圧接することが出来、この状態で中治具3と共に外治具4が回転するならば、スリーブ２はシェル１と摩擦接触しながら回転し、スリーブ２と治具との間に滑りが発生することはない。そして、スリーブ穴の傾斜面８を押圧する外治具４にて、該スリーブ２は正しく位置決めされる。
【図面の簡単な説明】
【００２１】
【図１】本発明に係るスリーブの圧接装置。
【図２】本発明に係るスリーブ形態。
【図３】トルクコンバータの内部構造図。
【図４】従来のスリーブ圧接装置。
【符号の説明】
【００２２】
１  シェル
２  スリーブ
３  中治具
４  外治具
５  外周面
６  穴
７  内周面
８  傾斜面
９  切欠き部
10  芯金
11  テーパー
12  テーパー面
【図１】
2006266431.tif 000003
【図２】
2006266431.tif 000004
【図３】
2006266431.tif 000005
【図４】
2006266431.tif 000006